(57)【要約】【課題】揮発性有機化合物を測定する際に、容器の洗浄、試料水に気泡を発生させて、試料水内の揮発性有機化合物を気相中に移動させ、測定する工程を自動的に行うようにして測定のバラツキ及び作業工数を低減させる揮発性有機化合物の測定方法及び装置を提供する。【解決手段】揮発性有機化合物測定装置は、揮発性有機化合物を含んだ試料水に空気を吹き込み、発生した揮発性有機化合のガスを測定する揮発性有機化合物測定装置において、前記試料水が貯留された試料容器と、この容器から試料水が供給されると共に、容器内の空気が循環され、前記試料水に供給されるガス循環容器と、このガス循環容器の中に発生したガスを測定する検出器と、を設けたことである。【選択図】      図１
2004271412.tif 000002
【特許請求の範囲】
【請求項１】
揮発性有機化合物を含んだ試料水に空気を吹き込み、発生した揮発性有機化合のガスを測定する揮発性有機化合物測定装置において、
前記試料水が貯留された試料容器と、
この試料容器から試料水が供給されると共に、容器内の空気が循環され、前記試料水に供給されるガス循環容器と、
このガス循環容器の中に発生したガスを測定する検出器と、
を設けたことを特徴とする揮発性有機化合物測定装置。
【請求項２】
前記試料容器とガス循環容器との間に設けられていて、前記試料水を前記試料容器から吸引すると共に、吸引した試料水を前記ガス循環容器に供給する吸排ポンプと、
前記ガス循環容器の試料水に空気を送り、前記ガス循環容器内の空気を循環させる気体ポンプと、
この気体ポンプで循環した空気を前記検出器に切り替える切り替えバルブと、
を備えたことを特徴とする請求項（１）記載の揮発性有機化合物測定装置。
【請求項３】
前記ガス循環容器の試料水を排出するドレインバルブと、
を備えたことを特徴とする請求項（１）及び（２）記載の揮発性有機化合物測定装置。
【請求項４】
揮発性有機化合物を含んだ試料水に空気を吹き込んで発生した揮発性有機化合のガスを測定する揮発性有機化合物測定方法において、
前記試料水が貯留された試料容器から前記試料水がガス循環容器に供給される第１のステップと、
この第１のステップでガス循環容器に供給された試料水を排出する第２のステップと、
再度、前記試料水が貯留された試料容器から前記試料水がガス循環容器に供給される第３のステップと、
前記ガス循環容器の試料水に前記ガス循環容器中のガスを循環して吹き込む第４のステップと、
この第４のステップで循環した空気を検出器に供給する第５のステップと、
からなることを特徴とした揮発性有機化合物測定方法。
【請求項５】
前記第１のステップから第３のステップを複数回繰り返して行うことを特徴とした請求項（４）記載の揮発性有機化合物測定方法。
【請求項６】
前記第１のステップ及び第３のステップで、前記試料容器から前記試料水が前記ガス循環容器に供給するのは、前記試料容器の試料水を吸い込み、この吸い込んだ試料水をガス循環容器に供給する吸俳ポンプによることを特徴とする請求項（４）記載の揮発性有機化合物測定方法。
【請求項７】
前記第２のステップで、ガス循環容器に供給された試料水を排出するのは前記ガス循環容器に設けられたドレインバルブの開閉によることを特徴とする請求項（４）記載の揮発性有機化合物測定方法。
【請求項８】
前記第４のステップで、前記ガス循環容器の試料水に前記ガス循環容器中のガスを循環して吹き込むのは、前記ガス循環容器の試料水に空気を送り、前記ガス循環容器内の空気を循環させる気体ポンプによることを特徴とする請求項（４）記載の揮発性有機化合物測定方法。
【発明の詳細な説明】
【０００１】
【発明の属する技術分野】
本発明は、揮発性有機化合物測定装置及び揮発性有機化合物測定方法に関するものであり、詳しくは水及び土壌中の揮発性有機化合物をガス化して測定する方法及び装置に関する。
【０００２】
【従来の技術】
従来、水及び土壌中の揮発性有機化合物を測定する方法として、ガスクロマトグラフを用いる方法が周知である。これは、試験室で行うものであり、現場では以下の方法が簡便法として用いられている。
現場での測定手法は、図３に示すように、（１）試料容器１１１に、一定量の揮発性有機化合物が含まれている試料水１１２を略半分位まで採取する。（２）この試料容器１１１に蓋１１３をして、採取した試料水１１２と試料容器１１１内部の気体とが混ぜ合わさるように、激しく振とうする。（３）激しく振とうした後に、この試料容器１１１を静置させる。（４）静置させた後に、試料容器１１１内の気体を、検知管１１４を用いて測定する。
土壌の場合、一定量の土と一定量の水を混合して試料とする。
【０００３】
【特許文献１】
特開２００１−２３５４０５号公報  （第５頁  第１図）
【０００４】
【発明が解決しようとする課題】
しかしながら、従来技術で説明した、土壌及び地下水汚染で用いられる測定では、汚染分布やその経時変化を捉えるため、数多くの測定を行うため、簡易法では次に示すような問題がある。
（１）手作業によって試料を採取、振とうを行う為、作業者などによる測定値のばらつきが出やすい。
（２）測定数が多いため、多大な工数がかかる。
【０００５】
従って、作業者などによる測定値のばらつきと、作業工程を低減させる測定を実現することに解決しなければならない課題を有する、
【０００６】
【課題を解決するための手段】
上記課題を解決するために、本発明に係る揮発性有機化合物測定装置及び揮発性有機化合物測定方法は、次に示す構成にすることである。
【０００７】
（１）  発性有機化合物測定装置は、揮発性有機化合物を含んだ試料水に空気を吹き込み、発生した揮発性有機化合のガスを測定する揮発性有機化合物測定装置において、前記試料水が貯留された試料容器と、この試料容器から試料水が供給されると共に、容器内の空気が循環され、前記試料水に供給されるガス循環容器と、
このガス循環容器の中に発生したガスを測定する検出器と、を設けたことである。
（２）更に、前記試料容器とガス循環容器との間に設けられていて、前記試料水を前記試料容器から吸引すると共に、吸引した試料水を前記ガス循環容器に供給する吸排ポンプと、前記ガス循環容器の試料水に空気を送り、前記ガス循環容器内の空気を循環させる気体ポンプと、この気体ポンプで循環した空気を前記検出器に切り替える切り替えバルブと、を備えたことを特徴とする請求項（１）記載の揮発性有機化合物測定装置。
（３）更に、前記ガス循環容器の試料水を排出するドレインバルブと、を備えたことを特徴とする請求項（１）及び（２）記載の揮発性有機化合物測定装置。
【０００８】
（４）揮発性有機化合物測定方法は、揮発性有機化合物を含んだ試料水に空気を吹き込んで発生した揮発性有機化合のガスを測定する揮発性有機化合物測定方法において、前記試料水が貯留された試料容器から前記試料水がガス循環容器に供給される第１のステップと、この第１のステップでガス循環容器に供給された試料水を排出する第２のステップと、再度、前記試料水が貯留された試料容器から前記試料水がガス循環容器に供給される第３のステップと、前記ガス循環容器の試料水に前記ガス循環容器中のガスを循環して吹き込む第４のステップと、この第４のステップで循環した空気を検出器に供給する第５のステップと、からなることを特徴とした揮発性有機化合物測定方法。
（５）前記第１のステップから第３のステップを複数回繰り返して行うことを特徴とした請求項（４）記載の揮発性有機化合物測定方法。
（６）前記第１のステップ及び第３のステップで、前記試料容器から前記試料水が前記ガス循環容器に供給するのは、前記試料容器の試料水を吸い込み、この吸い込んだ試料水をガス循環容器に供給する吸俳ポンプによることを特徴とする請求項（４）記載の揮発性有機化合物測定方法。
（７）前記第２のステップで、ガス循環容器に供給された試料水を排出するのは前記ガス循環容器に設けられたドレインバルブの開閉によることを特徴とする請求項（４）記載の揮発性有機化合物測定方法。
（８）前記第４のステップで、前記ガス循環容器の試料水に前記ガス循環容器中のガスを循環して吹き込むのは、前記ガス循環容器の試料水に空気を送り、前記ガス循環容器内の空気を循環させる気体ポンプによることを特徴とする請求項（４）記載の揮発性有機化合物測定方法。
【０００９】
このように、揮発性有機化合物を含んだ試料水に対して、空気を送り込んで気泡を発生させて揮発性有機化合物をガスとして抽出し、そのガスを測定するようにしたことで、揮発性有機化合物を抽出する工程が自動化できると共に測定工程の簡略化を図ることが可能になる。
【００１０】
【発明の実施の形態】
次に、本発明に係る揮発性有機化合物測定装置及び揮発性有機化合物測定方法の実施形態について、図面を参照して説明する。
【００１１】
本発明に係る揮発性有機化合物測定方法を具現化できる揮発性有機化合物測定装置は、図１に示すように、先ず、採取する試料容器（ＶＳ１）、ガス循環容器（ＶＳ２）及びこれらと連結する導管部分の洗浄、試料水１１に空気を直接吹き込んで気泡を発生させて試料水１１から揮発性有機化合物が含まれているガスを取り出し、その取り出した揮発性有機化合物が含まれているガスを測定するというものである。
【００１２】
その構成は、図１に示すように、試料水１１を貯留された試料容器（ＶＳ１）と、試料容器（ＶＳ１）内に挿通した導管１２と、導管１２を連結し３方向に切換える三方バルブ（Ｖ１）と、三方バルブ（Ｖ１）に連結した導管１３を介して接続してある吸排ポンプ（ＰＬ）と、三方バルブ（Ｖ１）を介した導管１４を容器内部まで連通させたガス循環容器（ＶＳ２）と、ガス循環容器（ＶＳ２）の底部に設けられガス循環容器（ＶＳ２）の液体を排出するドレインバルブである二方バルブ（Ｖ２）と、ガス循環容器（ＶＳ２）内部に設置され、気泡を発生させる気泡発生部１５と、ガス循環容器（ＶＳ２）内の上部位置で気相中のガスを吸い込む導管１６と、この導管１６に連結し４方向に切換える四方バルブ（Ｖ３）と、四方バルブ（Ｖ３）から空気或いはガス循環容器（ＶＳ２）内の気相を取り入れてガス循環容器（ＶＳ２）内部の気泡発生部１５に吹き込む気体ポンプ（Ｐ）と、四方バルブ（Ｖ３）を介して導管１７を通してガス循環容器（ＶＳ２）内のガスを取り入れて測定する検出器１８と、検出器１８からの信号を取り出して所定のタイミングで出力するゲート回路（Ｇ）と、ゲート回路（Ｇ）の制御、三方バルブ（Ｖ１）の切換えの制御、吸排ポンプ（ＰＬ）の制御、二方バルブ（Ｖ２）の開閉制御、四方バルブ（Ｖ３）の切換え制御、気体ポンプ（Ｐ）の制御、をするコントローラ１９とから大略構成されている。
【００１３】
このような構成からなる揮発性有機化合物測定装置における動作は、（１）洗浄、（２）試料導入、（３）バブリング、（４）排水、の順で行われる。以下、図１を参照して、図２に示すタイミングチャートを参照して説明する。
【００１４】
（１）洗浄
先ず、洗浄であるが、三方バルブ（Ｖ１）を“１”の方向に切替え、吸俳ポンプ（ＰＬ）を“吸”の状態に制御すると、試料容器（ＶＳ１）内部の試料水１１が吸引され、三方バルブ（Ｖ１）を介して試料水１１が吸俳ポンプ（ＰＬ）に吸引される。次に、三方バルブ（Ｖ１）を“２”の方向に切替え、吸俳ポンプ（ＰＬ）を“俳”の状態に制御する。そうすると、吸俳ポンプ（ＰＬ）に吸引された試料水１１が三方バルブ（Ｖ１）を介してガス循環容器（ＶＳ２）に供給される。ガス循環容器（ＶＳ２）に試料水１１が貯留されたところで二方バルブ（Ｖ２）を開の状態に切替えることで、ガス循環容器（ＶＳ２）に貯留されている試料水１１が排出される。このようにして、試料容器（ＶＳ１）からの試料水１１が、試料容器（ＶＳ１）と三方バルブ（Ｖ１）間の導管１２、三方バルブ（Ｖ１）と吸俳ポンプ（ＰＬ）間の導管１３、三方バルブ（Ｖ１）とガス循環容器（ＶＳ２）間の導管１４の内部を洗浄することができ、吸俳ポンプ（ＰＬ）内及びガス循環容器（ＶＳ２）内部も洗浄することができる。
【００１５】
（２）試料導入
次に、試料をガス循環容器（ＶＳ２）に導入する。三方バルブ（Ｖ１）を“１”に切替え、吸俳ポンプ（ＰＬ）を“吸”の状態に制御する。そうすると、試料容器（ＶＳ１）に収容されている試料水１１が吸俳ポンプ（ＰＬ）に吸引される。次に、三方バルブ（Ｖ１）を“２”の方向に切替え、吸俳ポンプ（ＰＬ）を“俳”の状態に制御する。そうすると、吸俳ポンプ（ＰＬ）に吸引されていた試料水１１が三方バルブ（Ｖ１）を介してガス循環容器（ＶＳ２）に供給される。そして、四方バルブを“１”の方向に切換えて、ガス循環容器（ＶＳ２）内の気相を気泡発生部１５に供給する体制を作る。
【００１６】
（３）バブリング
四方バルブ（Ｖ３）を“１”の方向に切換えたままで、気体ポンプ（Ｐ）を駆動させるように制御すると、試料水１１が供給されているガス循環容器（ＶＳ２）内の空気を気泡発生部１５に供給するように循環させる。そうすると、気泡発生部１５から吐出する気泡によって試料水１１内の水中揮発性有機化合物が、ガス循環容器（ＶＳ２）内部の気相中へ移動する。続いて、四方バルブを“２”の方向に切換えることで、ガス循環容器（ＶＳ２）内部の気相中のガスが四方バルブ（Ｖ３）を介して検出器１８に導かれ測定される。この検出器１８で測定された信号はゲート回路（Ｇ）によって所定のタイミングで取り込み、所望の制御部に出力される。
（４）排水
測定が終了したならば、二方バルブ（Ｖ２）を開の状態に制御することで、ガス循環容器（ＶＳ２）内の試料水１１が外に排出される。
【００１７】
以上の一連の行為により、試料水１１に含まれている揮発性有機化合物を一定の測定手順で行うことができるのであり、洗浄、気泡の発生、ガスの測定とは全てコントローラ１９からの制御のもとで行うことから、測定値のバラツキを極力抑えることで測定の信頼性を高めることができる。又、作業工数を低減させ、測定作業者の習熟が不要になる。
【００１８】
【発明の効果】
上記説明したように、本発明に係る揮発性有機化合物測定装置及び揮発性有機化合物測定方法は、揮発性有機化合物を含んだ試料水に空気を送り込んで気泡を発生させ、揮発性有機化合物をガスにして、そのガスを測定することを一連の行為で行うようにしたことで、作業工程を簡略化させると共に測定誤差を最小限にして測定値のバラツキをなくすか減少させることができるという効果がある。
【図面の簡単な説明】
【図１】本発明に係る揮発性有機化合物を測定する装置を略示的に示した説明図である。
【図２】同、測定を時系列に示したタイミングチャートである。
【図３】従来技術における測定手法を示した説明図である。
【符号の説明】
１１      試料水
１２      導管
１３      導管
１４      導管
１５      気泡発生部
１６      導管
１７      導管
１８      検出器
１９      コントローラ
ＶＳ１    試料容器
ＶＳ２    ガス循環容器
Ｖ１      三方バルブ
Ｖ２      二方バルブ
Ｖ３      四方バルブ
Ｐ        気体ポンプ
ＰＬ      吸排ポンプ。
【図１】
2004271412.tif 000003
【図２】
2004271412.tif 000004
【図３】
2004271412.tif 000005